(57)【要約】【課題】回転部材を駆動ユニットの所定の回り止め位置に装着する際に、簡単に装着してその作業性を向上させることができる、回転部材の回り止め構造を提供する。【解決手段】この回転部材の回り止め構造は、高さ方向を有したハウジング１２内に配設される回転部材として、駆動ユニット１０に配置されるたとえば電磁クラッチの回り止め構造を包含する。ハウジング１２は、回転部材３６を回動自在に支持する支持ベース１４と、電磁クラッチ３６を所定の装着位置に取付けるための位置決め部材４４とを含む。位置決め部材４４は、その上端に傾斜面５０ａを有する案内傾斜壁部５０を含み、電磁クラッチ３６は、係止部５６を有する係止片５２を含む。位置決め部材４４は、案内傾斜壁部５０に係止部５６を係止させて電磁クラッチ３６の回転を止めるための回り止め機能と、係止部５６を案内傾斜壁部５０との係止位置まで案内して、電磁クラッチ３６を所定の装着位置に位置決めするための案内位置決め機能とを兼ね備えている。【選択図】図２
2008020029.tif 000002
【特許請求の範囲】
【請求項１】
高さ方向を有したハウジング内に配設される回転部材の回り止め構造であって、
前記ハウジングは、前記回転部材を回動自在に支持する支持ベース、および、前記回転部材を所定の装着位置に取付けるための位置決め部材を含み、
前記回転部材は、係止片を有し、
前記位置決め部材は、当該位置決め部材に前記係止片を係止させて前記回転部材の回転を止めるための回り止め機能と、前記係止片を当該位置決め部材との係止位置まで案内して、前記回転部材を所定の装着位置に位置決めするための案内位置決め機能とを兼ね備えていることを特徴とする、回転部材の回り止め構造。
【請求項２】
前記位置決め部材は、前記支持ベースに立設される壁状のリブ片を含み、前記リブ片は、前記回転部材の前記係止片を当該位置決め部材との係止位置まで案内する傾斜部を有することを特徴とする、請求項１に記載の回転部材の回り止め構造。
【請求項３】
前記ハウジングの高さは、前記回転部材の高さよりも高いことを特徴とする、請求項１または請求項２に記載の回転部材の回り止め構造。
【請求項４】
前記支持ベースに回動自在に支持され、駆動力を伝達する回転軸およびギヤ列を有する回転伝達経路を含み、
前記回転部材は、前記回転伝達経路に配設され、前記回転伝達経路中の回転を伝達したり遮断したりする電磁クラッチを含む、請求項１〜請求項３のいずれかに記載の回転部材の取付け構造。
【発明の詳細な説明】
【技術分野】
【０００１】
本願発明は、回転部材の回り止め構造に関し、特にたとえば、電子写真方式を用いた複写機、プリンタ、ファクシミリ、それらの複合機などの画像形成装置の駆動ユニットおいて、駆動モータの回転を伝達するギヤ列等の伝達経路中に配置され、駆動力を伝達、切断するようにした電磁クラッチ等の回転部材の回り止め構造に関する。
【背景技術】
【０００２】
本願発明の背景となる従来の画像形成装置には、たとえば記録紙搬送用ローラの導電性を有するローラ軸にクラッチを挿入して、記録紙搬送用ローラに生じる静電気を逃すための接地と、前記クラッチの抜け止めとを同一部材で行うよう構成した画像形成装置があった（例えば、特許文献１参照）。
この画像形成装置では、両端にアーム部を有し、一のアーム部の端にクランクを有してスプリング部を画像形成装置の導電性フレーム構造体に設けた保持具で保持したねじりスプリングと、フレーム構造体の一部に設けられ、前記ねじりスプリングにおける他のアーム部の端を固定するアーム固定具と、前記フレーム構造体の一部に設けられ、前記一のアーム部のクランクを挿入してアームの抜け止めを行うための孔とで構成し、前記一のアームを前記導電性ローラ軸に設けた溝に接触させながら前記クランクをフレーム構造体に設けた孔に入れ、抜け止めと接地を行うようにしている。
【０００３】
また、本願発明の背景となる従来の他の画像形成装置には、たとえば記録紙搬送用ローラに生じる静電気を逃すための接地とクラッチの抜け止めと回転止めとを同一部材で行うよう構成した画像形成装置があった（例えば、特許文献２参照）。
この画像形成装置では、両端部に接地用アームと固定用アームを設けたねじりスプリングの内径より広い幅とした入り口部と、内径より狭い幅とした保持部とを有してねじりスプリングを保持する保持具と、固定用アームのローラ軸方向移動を阻止しながら固定する固定具と、保持具と固定具の間で挟んで回転範囲を制限するよう構成した回転止め用腕部を有したクラッチとで構成し、前記クラッチの腕部を前記保持具と固定具の間で挟むと共に固定用アームで可動範囲を制限し、前記導電性を有するローラ軸に前記接地用アームを当接させて前記クラッチの導電性を有するローラ軸からの抜け防止と回転止め、及び前記導電性を有するローラ軸の接地とを行うようにしている。
【０００４】
【特許文献１】特開２００４−２３８１１０号公報
【特許文献２】特開２００４−２５０１７４号公報
【発明の開示】
【発明が解決しようとする課題】
【０００５】
しかしながら、前者の従来の画像形成装置では、ねじりスプリングのクランクをドライブプレートに設けた孔に挿入し、アームをローラ軸に設けた溝に挿入することで、接地と抜け止めを行えるようにしているので、それらの部位を挿入する挿入作業に手間が掛かる上、クラッチの取付け構造自体が複雑なものとなっている。
また、後者の従来の画像形成装置では、抜けと回転止め兼用接地部材と、ドライブプレートに設けられた保持具および固定具とにより、クラッチが固定され、しかも、抜けと回転止め兼用接地部材が別部材として設けられているため、抜けと回転止め兼用接地部材を保持具、固定具およびクラッチの回転止めに取付ける取付け作業に手間が掛かり、クラッチの回り止め構造自体も複雑なものとなっている。
すなわち、従来の画像形成装置では、フレームから飛び出しているローラ軸に、直接、クラッチを装着して固定する構成の取付け構造が多く、このような構成の取付け構造の場合には、フレームのプレート部分に挿入して固定するか、あるいは、別部材によって固定しているため、クラッチの取付けに手間が掛かり、クラッチ自体の取付け構造や回り止め構造自体も複雑なものとなっている。
【０００６】
一方、上記した従来の画像形成装置とは異なって、クラッチ本体に回り止め部材が設けられた電磁クラッチを駆動ユニットのハウジング内の底部に取付ける場合には、クラッチの高さよりも低いハウジングであれば、クラッチの回り止め部材を指などで固定することが比較的容易なこともあって、クラッチをハウジング内の所定の回り止め位置に挿入して取付けることに然程問題はない。
【０００７】
ところが、ハウジングの高さがクラッチの高さよりも高い場合には、クラッチをハウジング内の所定の回り止め位置に挿入して固定させようとすると、クラッチの回り止めを指などで固定することがスペース的に難しく、クラッチをハウジング内の所定の回り止め位置に取付けることが困難となり、特に、たとえばハウジング内に複数のギヤおよび電磁クラッチ等の部品を組み込む場合には、その作業性は非常に悪いものであった。したがって、電磁クラッチの交換作業性や出荷時の組立性も効率の悪いものとなっていた。
【０００８】
それゆえに、本願発明の主たる目的は、回転部材を所定の回り止め位置に装着する際に、簡単に装着してその作業性を向上させることができる、回転部材の回り止め構造を提供することである。
【課題を解決するための手段】
【０００９】
請求項１にかかる本願発明は、高さ方向を有したハウジング内に配設される回転部材の回り止め構造であって、ハウジングは、回転部材を回動自在に支持する支持ベースと、回転部材を所定の装着位置に取付けるための位置決め部材とを含み、回転部材は、係止片を有し、位置決め部材は、当該位置決め部材に係止片を係止させて回転部材の回転を止めるための回り止め機能と、係止片を当該位置決め部材との係止位置まで案内して、回転部材を所定の装着位置に位置決めするための案内位置決め機能とを兼ね備えていることを特徴とする、回転部材の回り止め構造である。
請求項１にかかる本願発明では、支持ベースが回転部材を回動自在に支持している。そして、位置決め部材によって、回転部材をハウジング内の所定の位置に装着するための位置決めが行われる。この場合、回転部材の係止片が位置決め部材に係止されることによって、回転部材の回り止めが行われる。また、位置決め部材は、回転部材の係止片を所定の回り止め位置に案内することによって、回転部材をハウジング内の所定の位置に位置決めしている。すなわち、位置決め部材は、回転部材の取付け位置の位置決め機能と、当該回転部材の係止片を所定の係止位置まで案内する案内機能とを併せ持つ部材となっている。
請求項２にかかる本願発明は、請求項１にかかる発明に従属する発明であって、位置決め部材は、支持ベースに立設される壁状のリブ片を含み、リブ片は、回転部材の係止片を当該位置決め部材との係止位置まで案内する傾斜部を有することを特徴とする、回転部材の回り止め構造である。
請求項２にかかる本願発明では、位置決め部材として、壁状のリブ片が支持ベースに立設されている。このリブ片によって、回転部材のハウジング内への取付け位置が位置決めされる。また、リブ片には傾斜部が配設され、当該傾斜部によって、回転部材の係止片がリブ片との係止位置まで案内される。
請求項３にかかる本願発明は、請求項１または請求項２にかかる発明に従属する発明であって、ハウジングの高さは、回転部材の高さよりも高いことを特徴とする、回転部材の取付け構造である。
請求項３にかかる本願発明では、ハウジングの高さが、回転部材の高さよりも高く形成されている。従来では、このように、ハウジングの高さが回転部材の高さよりも高い場合には、回転部材をハウジング内の所定の回り止め位置に挿入して取付けようとすると、スペース的に難しく、回転部材の位置決めが困難となっていたが、請求項３にかかる本願発明では、回転部材の取付け位置の位置決め機能と、当該回転部材の係止片を所定の係止位置まで案内する案内機能とを併せ持つ位置決め部材またはリブ片によって、ハウジング内の所定の回り止め位置への回転部材の取付けが簡易なものとなる。
請求項４にかかる本願発明は、請求項１〜請求項３のいずれかにかかる発明に従属する発明であって、支持ベースに回動自在に支持され、駆動力を伝達する回転軸およびギヤ列を備えた回転伝達経路を含み、回転部材は、回転伝達経路に配設され、回転伝達経路中の回転を伝達したり遮断したりする電磁クラッチを含む、回転部材の回り止め構造である。
請求項４にかかる本願発明では、駆動力を伝達する回転軸およびギヤ列を有する回転伝達経路が含まれる。また、回転部材は、回転伝達経路に配設され、回転伝達経路中の回転を伝達したり遮断したりする電磁クラッチを含んでいる。この場合、電磁クラッチは、ハウジング内の所定の回り止め位置に簡単に位置決めされて取り付けることが可能となる。
【発明の効果】
【００１０】
本願発明にかかる回転部材の回り止め構造によれば、回転部材を所定の回り止め位置に装着する際に、簡単に装着してその作業性を向上させることができる。
【００１１】
本願発明の上述の目的、その他の目的、特徴および利点は、図面を参照して行う以下の発明を実施するための最良の形態の説明から一層明らかとなろう。
【発明を実施するための最良の形態】
【００１２】
図１は、本願発明にかかる実施形態の一例を示す要部斜視図である。この実施形態例では、回転部材の回り止め構造の一例として、電子写真方式を用いた複写機等の画像形成装置の駆動ユニットにおいて、駆動モータの回転を伝達するギヤ列等の伝達経路中に配置され、駆動力を伝達、切断するようにした電磁クラッチの回り止め構造について説明する。
本実施形態例の画像形成装置は、たとえば感光体ドラム、現像装置ないし給紙装置等（図示せず）に駆動モータ（図示せず）の回転駆動力を伝達するための駆動ユニット１０を含む。この駆動ユニット１０は、たとえば図１，図２，図３および図４に示すように、ハウジング１２を含む。ハウジング１２内には、たとえば図２および図４に示すように、階段状の支持ベース１４が配設されている。この支持ベース１４は、間隔を隔てて階層的に配設されたたとえば３つの支持プレート１６，１８および２０を有する。また、支持ベース１４は、その周囲が、高さ方向を有する枠壁部材２２ａ，２２ｂ，２２ｃによって断続的に囲まれている。
【００１３】
さらに、この支持ベース１４には、たとえば図１，図３および図４に示すように、ギヤ２４，２６，２８，３０，３２，３４等を含む複数のギヤ列および複数の電磁クラッチ３６，３８，４０，４２配列されて、駆動ユニット１０が構成されている。この場合、ギヤ２４，２６，２８は、それぞれ、支持プレート１８に回動自在に支持された軸部２４ａ，２６ａ，２８ａに固定されている。同様に、ギヤ３０，３２，３４は、それぞれ、支持プレート２０に回動自在に支持された軸部３０ａ，３２ａ，３４ａに固定されている。
【００１４】
複数のギヤ２４〜３４を含むギヤ列は、たとえば支持プレート１６の裏面側に配設された駆動モータ（図示せず）の回転を伝達する伝達経路を構成し、当該伝達経路中には、駆動モータ（図示せず）からの回転駆動力を伝達、切断するようにした電磁クラッチ３６〜４２が配列されている。電磁クラッチ３６，３８および４０は、支持プレート１６に配置され、電磁クラッチ４２は、支持プレート１８に配置されている。
電磁クラッチ３６，３８，４０および４２の高さ方向の下側端面には、それぞれ、ギヤ（図示せず）が固定されている。この場合、電磁クラッチ３６，３８，４０および４２は、それぞれ、制御部（図示せず）からの信号によってそのＯＮ／ＯＦＦが適宜制御され、各電磁クラッチ３６，３８，４０，４２がＯＮの場合には、各電磁クラッチ３６，３８，４０，４２に固定された前記各ギヤ（図示せず）からの回転がその中心軸部３６ａ，３８ａ，４０ａ，４２ａに伝達され、ＯＦＦの場合には、前記各ギヤ（図示せず）からの回転がその中心軸部３６ａ，３８ａ，４０ａ，４２ａに伝達されないものとなる。
【００１５】
次に、駆動ユニット１０における電磁クラッチ３６，３８，４０および４２の回り止め構造について説明する。電磁クラッチ３６〜４２の回り止め構造は、それぞれ同様の構造に形成されているため、特に、たとえば図２，図３および図４を参照しながら、１つの電磁クラッチ３６の回り止め構造についてのみ、以下、詳細に説明し、他の電磁クラッチ３８，４０および４２の回り止め構造の説明は省略する。
本実施形態例では、ハウジング１２内に、電磁クラッチ３６を所定の装着位置に取付けるための位置決め部材４４が配設されている。位置決め部材４４は、たとえば図２に示すように、支持ベース１４の支持プレート１６上に立設されている壁状のリブ片４６を含む。このリブ片４６は、電磁クラッチ３６を所定の回り止め位置で回り止めさせるために、その回り止め位置の近傍に立設されている。リブ片４６は、その上端面４８ａが支持プレート１６面に対して略平行に設けられた導入壁部４８と、その上端面が支持プレート１６に対して斜め下方向に傾斜する傾斜部としてのたとえば傾斜面５０ａに形成された案内傾斜壁部５０とを有している。導入壁部４８と案内傾斜壁部５０とは、たとえば一体的に形成されている。
【００１６】
一方、電磁クラッチ３６は、その外周部の周方向の一部に、外方に突き出るたとえば１つの係止片５２を有している。係止片５２は、当該電磁クラッチ３６の外周面から斜め下方に突出する突出部５４を含み、突出部５４の先端には、たとえば二股状の係止部５６が形成されている。係止部５６は、たとえばＵ字状の切欠き部５８を有し、支持ベース１４の支持プレート１６の面に対して、略平行に配置されている。
【００１７】
本実施形態例では、たとえば電磁クラッチ３６の係止片５２を位置決め部材４４のリブ片４６上に載置した後、リブ片４６の上端面に沿って、当該係止片５２を所定の装着位置へと移動させることによって、係止片５２が位置決め部材４４における所定の回り止め位置に係止される。さらに、詳述すると、係止片５２の係止部５６が、位置決め部材４４の導入壁部４８の上端面４８ａ上に載置・当接され、導入壁部４８上を変位させながら、案内傾斜壁部５０上へと導かれる。引き続き、係止部５６は、案内傾斜壁部５０の上端の傾斜面５０ａに当接された状態で当該傾斜面５０ａに沿って移動し、案内傾斜壁部５０の先端縁部から支持プレート１６上へと落下していき、ハウジング１２内の所定の装着位置へと案内される。それによって、係止片５２の係止部５６は、位置決め部材４４の案内傾斜壁部５０に係止され、所定の回り止め位置に回り止めされるものとなっている。
【００１８】
つまり、本実施形態例では、位置決め部材４４のリブ片４６の案内傾斜壁部５０が、係止片５２の係止部５６を係止させることにより電磁クラッチ３６の回転を止めるための回り止め機能と、係止片５２の係止部５６を位置決め部材４４の案内傾斜壁部５０との係止位置まで案内して、電磁クラッチ３６をハウジング１２内の所定の装着位置に位置決めするための案内位置決め機能とを兼ね備えているものとなっている。
【００１９】
本実施形態例では、上述したように、電磁クラッチ３６の係止片５２を位置決め部材４４のリブ片４６上に載置し、且つ、その案内傾斜壁部５０の傾斜面５０ａに沿って案内して移動させるだけで、極めて簡単に、電磁クラッチ３６をハウジング１２の所定の装着位置に取付けることができる。したがって、電磁クラッチ３６をハウジング１２内において、所定の回り止め位置に装着する際の装着作業性を向上させることができる。
【００２０】
また、本実施形態例では、ハウジング１２の高さが、電磁クラッチ３６の高さよりも高く形成されている。このような場合、従来では、電磁クラッチ３６をハウジング１２内の所定の回り止め位置に挿入して取付けようとすると、スペース的に難しく、電磁クラッチ３６の位置決めが困難となっていたが、本実施形態例では、位置決め部材４４のリブ片４６の特に案内傾斜壁部５０が、電磁クラッチ３６の取付け位置の位置決め機能と、当該電磁クラッチ３６の係止片５２を所定の係止位置まで案内する案内機能とを併せ持っているので、ハウジング１２内の所定の回り止め位置への電磁クラッチ３６の取付けが極めて簡易なものとなっている。
【００２１】
なお、上述した実施形態例において、位置決め部材４４は、支持ベース１４と一体的に形成されてもよく、あるいは、当該位置決め部材４４は、支持ベース１４に対して、着脱自在に形成されるようにしてもよい。同様に、たとえば電磁クラッチ３６に設けられる係止片５２においても、当該係止片５６は、電磁クラッチ３６と一体的に形成されてもよく、また、電磁クラッチ３６の外周面に着脱自在に形成するようにしてもよい。さらに、係止片５２の突出部５４の外方への突出長さは、ハウジング１２内に配設される位置決め部材４４の位置、つまり、たとえば電磁クラッチ３６の回り止め位置によって、適宜、調整され得るものである。さらに、係止片５２の係止部５６の形状は、二股状に限定されるものではなく、たとえば電磁クラッチ３６の外方に延び設けられ、位置決め部材４４と係止され得る形状のものであればよい。
【図面の簡単な説明】
【００２２】
【図１】本願発明にかかる実施形態の一例を示す要部斜視図である。
【図２】図１の実施形態例の駆動ユニットに配設される電磁クラッチの回り止め構造の一例を示すもので、特に、当該電磁クラッチをハウジング内の位置決め部材の上に載置した状態を図１とは別の方向から見た要部斜視図である。
【図３】電磁クラッチを位置決め部材の上に載置した状態から、さらに、当該位置決め部材の傾斜部へと案内される状態を図２とは別の方向から見た要部斜視図である。
【図４】電磁クラッチが図３の状態から位置決め部材の傾斜部を介して駆動ユニットのハウジング内の所定の回り止め位置に取付けられた状態を示す要部斜視図である。
【符号の説明】
【００２３】
１０  駆動ユニット
１２  ハウジング
１４  支持ベース
１６，１８，２０  支持プレート
２２ａ，２２ｂ，２２ｃ  枠壁部材
２４，２６，２８，３０，３２，３４  ギヤ
３６，３８，４０，４２  電磁クラッチ
４４  位置決め部材
４６  リブ片
４８  導入壁部
５０  案内傾斜壁部
５０ａ  傾斜面
５２  係止片
５４  突出部
５６  係止部
５８  切欠き部
【図１】
2008020029.tif 000003
【図２】
2008020029.tif 000004
【図３】
2008020029.tif 000005
【図４】
2008020029.tif 000006